(57)【要約】【課題】ラチェットレンチの動かし装置を提供する。【解決手段】本発明のラチェットレンチの動かし装置は、ラチェットレンチの動かし装置であって、該ラチェットレンチのラチェットが、ラチェット歯ブロックと動かし装置の作用によって回転方向を変更可能であり、該動かし装置が、動かし部材と、該動かし部材の内部に設けられるバネ及び連動部材とを含み、該連動部材が該バネの弾力作用によって該ラチェット歯ブロックの戻り止め溝の中に伸び、該動かし部材が戻り止めブロックとを含み、該戻り止めブロックの両側にそれぞれに戻り止め角を有し、該動かし部材が左方向、右方向へ動かされると、該戻り止め角によって押圧力を該ラチェット歯ブロックに付与し、該ラチェット歯ブロックが該動かし部材を従って方向変更に優れた応答性を有することを確保する。【選択図】図２
2019206049.tif 000002
【特許請求の範囲】
【請求項１】
ラチェットレンチの動かし装置であって、
該ラチェットレンチが、レンチヘッドに設けられるラチェットとラチェット歯ブロックを含み、該ラチェットと該ラチェット歯ブロックのラチェット歯とが互いに噛み合い、該動かし装置が、該レンチヘッドの回転空間に設けられる動かし部材と、該動かし部材の内部に設けられるバネ及び連動部材とを含み、該連動部材が該バネの弾力作用によって該動かし部材から突出して該ラチェット歯ブロックの戻り止め溝の中に伸び、
該動かし装置がさらに戻り止め構造を含み、
該戻り止め構造が該戻り止め溝の両側にそれぞれに形成される接触角と、該動かし部材に形成される戻り止めブロックとを含み、該戻り止めブロックの両側にそれぞれに戻り止め角を有し、該動かし部材が左方向、右方向へ動かされると、該動かし部材が該戻り止め角によって押圧力を該戻り止め溝の側壁及び該接触角に付与し、さらに該ラチェット歯ブロックに伝達することを特徴とするラチェットレンチの動かし装置。
【請求項２】
ラチェットレンチの動かし装置であって、
該ラチェットレンチが、レンチヘッドに設けられるラチェットとラチェット歯ブロックを含み、該ラチェットと該ラチェット歯ブロックのラチェット歯とが互いに噛み合い、該動かし装置が、該レンチヘッドの回転空間に設けられる動かし部材と、該動かし部材の内部に設けられるバネ及び連動部材とを含み、該連動部材が該バネの弾力作用によって該動かし部材から突出して該ラチェット歯ブロックの戻り止め溝の中に伸び、
該動かし装置がさらに戻り止め構造を含み、
該戻り止め構造が該動かし部材に形成される戻り止めブロックを含み、該戻り止めブロックの両側にそれぞれに戻り止め角を有し、該動かし部材が左方向、右方向へ動かされると、該動かし部材が該戻り止め角によって押圧力を該戻り止め溝の側壁に付与し、さらに該ラチェット歯ブロックに伝達することを特徴とするラチェットレンチの動かし装置。
【発明の詳細な説明】
【技術分野】
【０００１】
本発明は、ラチェットレンチに関し、特に方向変更可能なラチェットレンチの動かし装置に関するものである。
【背景技術】
【０００２】
図８、９、１０に示すように、従来の方向変更可能なラチェットレンチの構成が大体にその内部にラチェット２とラチェット歯ブロック３を設けるレンチヘッド１と、該ラチェット歯ブロック３を制御するスイッチユニット４とを含む。該スイッチユニット４が大体に動かし部材５と、それの中に設けられるバネ６及び連動部材７とを含む。該連動部材７がバネ６の弾力作用によって該動かし部材５から突出して該ラチェット歯ブロック３の戻り止め溝８の中に伸びる。該動かし部材５の左右への動かしで、該連動部材７と該ラチェット歯ブロック３の方向及び位置を相応的に変わらせるため、該ラチェット２の転動方向を変わらせる。
【０００３】
上記の従来の例には下記のような課題が存在する。
１．該動かし部材５が回動すると、該連動部材７が該ラチェット歯ブロック３を動かされるか、そのポイントが該バネ６及びその弾力である。従来の例には、該バネ６が力受けと力付与を主なポイントとした場合、弾性疲労の問題が生じ易い。該バネ６のばね定数値が弱くなると、該連動部材７が該ラチェット歯ブロック３に対して適切な戻り止め用の力を提供できず、図８〜図１０から、該動かし部材５が左から右へ回転すると、該連動部材７が該ラチェット歯ブロック３を左側から右側へうまく動かさず、該動かし部材５がただ該ラチェット歯ブロック３の戻該り止め溝８に沿って摺動し、該スイッチユニット４が無駄に空回りし、ラチェットの方向変更機能が無効であることは分かる。
２．該バネ６のばね定数値が弱くなると、該連動部材７が該ラチェット歯ブロック３を戻り止めできず、該ラチェット歯ブロックが該連動部材で効果的に制限されず、ラチェットレンチの作用力又は反作用力がいずれも該ラチェット２を介して該ラチェット歯ブロック３に伝達可能であるので、該ラチェット２が該ラチェット歯ブロック３の不当な変位を連動することは発生し、ラチェットレンチの突然な方向変更の問題が発生し、ラチェットレンチを操作する時にはその作業方向と回転戻りの方向を効果的に制御することができない。
【先行技術文献】
【特許文献】
【０００４】
【特許文献１】特開2014-94437号公報
【発明の概要】
【発明が解決しようとする課題】
【０００５】
上記の課題を解決するために、本発明は、連動部材が効果的にラチェット歯ブロックを作動することを確保する構成であるラチェットレンチの動かし装置を提供することを目的とする。
【課題を解決するための手段】
【０００６】
上記の目的を達成するために、本発明に係るラチェットレンチの動かし装置は、ラチェットレンチの動かし装置であって、該ラチェットレンチが、レンチヘッドに設けられるラチェットとラチェット歯ブロックを含み、該ラチェットと該ラチェット歯ブロックのラチェット歯とが互いに噛み合い、該動かし装置が、該レンチヘッドの回転空間に設けられる動かし部材と、該動かし部材の内部に設けられるバネ及び連動部材とを含み、該連動部材が該バネの弾力作用によって該動かし部材から突出して該ラチェット歯ブロックの戻り止め溝の中に伸び、該動かし装置がさらに戻り止め構造を含み、該戻り止め構造が該戻り止め溝の両側にそれぞれに形成される接触角と、該動かし部材に形成される戻り止めブロックとを含み、該戻り止めブロックの両側にそれぞれに戻り止め角を有し、該動かし部材が左方向、右方向へ動かされると、該動かし部材が該戻り止め角によって押圧力を該戻り止め溝の側壁及び該接触角に付与し、さらに該ラチェット歯ブロックに伝達する。
【発明の効果】
【０００７】
本発明の効果は、下記のように示す。
該動かし部材が動かされる力は、該戻り止め角を介して該戻り止め溝の側壁及び該接触角に付与されて該ラチェット歯ブロックに伝達される。
【０００８】
該動かし部材が動かされると２つの押圧力が該ラチェット歯ブロックに作用され、１つの押圧力が該連動部材より該戻り止め溝の溝壁を介して該ラチェット歯ブロックに付与され、もう１つの押圧力が該戻り止めブロックより該戻り止め溝の溝壁及び該接触角を介して該ラチェット歯ブロックに付与される。２つの押圧力が該ラチェット歯ブロックに作用し、該ラチェット歯ブロックが該動かし部材を従って方向変更に優れた応答性を有することを確保し、該ラチェットレンチのラチェット方向変更機能を保証する。
【０００９】
該戻り止めブロックが一側で該ラチェット歯ブロックを押すと、該戻り止めブロックの他の一側と該ラチェット歯ブロックとが互いに干渉せず、該戻り止めブロックの横方向の押圧力が該ラチェット歯ブロックの側面に完全に付与されることを確保する。
【００１０】
本発明は該バネの力受けを具体的に分散させ、弾性疲労が発生する時間を遅らせ、長い使用時間にわたってそのあるべき定数値を維持することができる。
【図面の簡単な説明】
【００１１】
【図１】本発明のラチェットレンチを示す分解斜面図である。
【図２】本発明のラチェットレンチの組み合わせの断面とその作動を示す図一である。
【図３】本発明のラチェットレンチの組み合わせの断面とその作動を示す図二である。
【図４】本発明のラチェットレンチの組み合わせの断面とその作動を示す図三である。
【図５】本発明のラチェットレンチの組み合わせの断面とその作動を示す図四である。
【図６】本発明のラチェットレンチの組み合わせの断面とその作動を示す図五である。
【図７】図３における丸で囲まれた部分を示す拡大図である。
【図８】従来の方向変更可能なラチェットレンチの断面とその作動を示す図一である。
【図９】従来の方向変更可能なラチェットレンチの断面とその作動を示す図二である。
【図１０】従来の方向変更可能なラチェットレンチの断面とその作動を示す図三である。
【発明を実施するための形態】
【００１２】
本発明が上記の発明内容に記載される中心思想を容易に説明するために、具体な実施例によって説明する。実施例に様々な異なる部材が説明に適した比例、サイズ、変形量、又は変位量に基づいて描き、実際の部材の比例で描くことではないことを先に説明する。、
【００１３】
図１、２に示すように、本発明に係る方向変更可能なラチェットレンチが、リング蓋４０及び嵌合リング４１によってレンチヘッド１０のラチェット空間１１に組み立てられるラチェット１２と、該レンチヘッド１０の歯ブロック空間１３に設けられるラチェット歯ブロック１４と、を含み、該ラチェット１２と該ラチェット歯ブロック１４のラチェット歯とが互いに噛み合う。
【００１４】
該レンチヘッド１０がさらに動かし装置２０を含む。該動かし装置２０が、動かし部材２１と、該動かし部材２１の内部に設けられるバネ２２及び連動部材２３とを含む。
該動かし部材２１が回転可能に該レンチヘッド１０の回転空間１５に位置決めされ、該動かし部材２１が動かしロッド２４を有し、該動かしロッド２４が、使用者が該動かし部材２１を接触して動かすように該レンチヘッド１０の外部に位置され、該動かし部材２１が使用者の動かしで該回転空間１５のうちに左又は右へ回転される（図２〜図６のように示す）。該連動部材２３が該バネ２２の弾力作用によって該動かし部材２１から突出して該ラチェット歯ブロック１４の戻り止め溝１６の中に伸びる。
【００１５】
図３と図７に示すように、該ラチェットレンチがさらに戻り止め構造３０を含む。該戻り止め構造３０が該動かし部材２１に形成される戻り止めブロック３１を含み、該戻り止めブロック３１の両側にそれぞれに戻り止め角３２を有する。該戻り止め構造３０がさらに該戻り止め溝１６の両側に形成されて円弧形を呈する接触角３３を含む。
【００１６】
図２〜図６に示すように、該動かし部材２１の左右への動かしで該連動部材２３と該ラチェット歯ブロック２５の方向及び位置を相応的に変わらせるため、該ラチェット２の転動方向を変わらせる。面図の方向及び図２〜図６の順に基づいて、該動かし部材２１が左から右へ動かされ、反対にも可能である。図２に示すように、静止状態では、該連動部材２３が該戻り止め溝１６の左側壁１６１を押し、該ラチェット歯ブロック１４が該歯ブロック空間１３の左側に位置され、該ラチェット１２が時計回りに回転する。図３、７に示すように、該動かし部材２１が右へ動かされる初期には、該戻り止めブロック３１の右側にある戻り止め角３２が該戻り止め溝１６の右側壁１６２を押し、該ラチェット歯ブロック１４が押しを応じて既に右へ移動する勢いになる。図４に示すように、該動かし部材２１が続いて右へ動かされ、該連動部材２３が該戻り止め溝１６の溝壁に沿って摺動し、右側にある該戻り止め角３２が右側にある該接触角３３を押し、該ラチェット歯ブロックが押しを応じて右へ移動される。図５に示すように、該連動部材２３が該戻り止め溝１６の溝壁の中間を押すまでに、該動かし部材２１が続いて動かされ、該戻り止めブロック３１が該ラチェット歯ブロック１４に接触しない。図６に示すように、該動かし部材２１が右へ動かされると、該連動部材２３が該戻り止め溝１６の右側壁１６２を押し、該ラチェット１４が該歯ブロック空間１３の右側に動かされることができ、該ラチェット１２が逆時計回りに回転できる。
【００１７】
該動かし部材２１が動かされると２つの押圧力が該ラチェット歯ブロック１４に作用され、１つの押圧力としては、該バネ２２の弾力が該連動部材２３を介して該ラチェット歯ブロック１４に付与され、もう１つの押圧力としては、該戻り止めブロック３１より該戻り止め溝１６の側壁１６１，１６２及び該接触角３３を介して該ラチェット歯ブロック１４に付与される。２つの押圧力が該ラチェット歯ブロック１４に作用し、該ラチェット歯ブロック１４が該動かし部材２１を従って方向変更に優れた応答性を有することを確保し、該ラチェットレンチのラチェット１２の方向変更機能を果たすことを保証する。
【００１８】
また図２〜図６を参照し、該戻り止めブロック３１が一側で該ラチェット歯ブロック１４を押すと、該戻り止めブロック３１の他の一側と該ラチェット歯ブロック１４とが互いに干渉せず、該戻り止めブロック３１の横方向の押圧力が該ラチェット歯ブロック１４の側面に完全に付与されることを確保する。
【００１９】
本発明において、該戻り止めブロック３１が該戻り止め溝１６の側壁１６１，１６２及び該接触角３３を介して横方向の押圧力を該ラチェット歯ブロック１４に付与し、この設計で該バネ２２の力受けの状態を分散させるので、本発明のバネ２２が従来の例に記載される主な力付与と力受けの部材でないものになるため、本発明は弾性疲労が発生する時間を遅らせ、長い使用時間にわたってそのあるべき定数値を維持することができる。図２、５、６から、該動かし部材２１が左から右へ回転し、該ラチェット歯ブロック１４を左から右へうまく移動させると、該戻り止め３１の上端と該ラチェット歯ブロック１４との間の距離が明らかな変更を発生することは分かり、この変更を説明するために、水平線Ｌ１で該連動部材２３の上端を照準し、水平線Ｌ２で該戻り止めブロック３１の上端を照準し、図２におけるＬ１とＬ２との間の距離をｄ１とし、図５におけるＬ１とＬ２との間の距離をｄ２とし、図６におけるＬ１とＬ２との間の距離をｄ３とし、ｄ１、ｄ２、及びｄ３の変化より、該バネ２２の圧縮長さが相異であることを推測でき、本発明において該バネ２２が優れた弾力の表現を有することを表す。本発明は具体的に従来の例の第１課題を解決できる。
【００２０】
さらに、バネ２２の弾力が保持されると、該連動部材７が効果的に該ラチェット歯ブロック１４を押し、該ラチェット歯ブロック１４の位置を保持し、ラチェットレンチを操作する作用力又は反作用力が該ラチェット１２を介して該ラチェット歯ブロック１４に伝達することができず、ラチェットレンチの突然な方向変更の問題が発生せず、ラチェットレンチを操作する時にはその作業方向と回転戻りの方向を効果的に制御することができる。本発明は具体的に従来の例の第２課題を解決できる。
【００２１】
上述の説明は、本発明の技術特徴を示す好適な実施形態を説明したものである。当業者は、本発明の主旨を逸脱しない範囲において変更および修飾を行うことができ、これらの変更および修飾は、本発明の特許請求の範囲に含まれる。
【符号の説明】
【００２２】
１  レンチヘッド
２  ラチェット
３  ラチェット歯ブロック
４  スイッチユニット
５  動かし部材
６  バネ
７  連動部材
８  戻り止め溝
１０  レンチヘッド
１１  ラチェット空間
１２  ラチェット
１３  歯ブロック空間
１４  ラチェット歯ブロック
１５  回転空間
１６  戻り止め溝
１６１  左側壁
１６２  右側壁
２０  動かし装置
２１  動かし部材
２２  バネ
２３  連動部材
２４  動かしロッド
３０  戻り止め構造
３１  戻り止めブロック
３２  戻り止め角
３３  接触角
４０  リング蓋
４１  嵌合リング
【図１】
2019206049.tif 000003
【図２】
2019206049.tif 000004
【図３】
2019206049.tif 000005
【図４】
2019206049.tif 000006
【図５】
2019206049.tif 000007
【図６】
2019206049.tif 000008
【図７】
2019206049.tif 000009
【図８】
2019206049.tif 000010
【図９】
2019206049.tif 000011
【図１０】
2019206049.tif 000012